Podtech/llm-jp-corpus-v4-ja_patent huggingface dataset:
(57)【要約】【課題】果物の調理で１番面倒なことは、中芯部や、へた部分のきりとり、腐食部分や不良カ所の切除であり、この作業を綺麗に早く、誰でも出来るような、果実調理器を提供する。【解決手段】二本のア−ムの片側を、ピンやＵ型スプリング等で連結し片方を、縦にＵ字型の金具の上下に刃を付け果物の芯部や、へた部を挟んで切除できる構造にする。【選択図】図１
2012075841.tif 000002
【特許請求の範囲】
【請求項１】
二本のア−ムの片側を、ピンや板スプリング等で接続して、反対側は適当な間隔に開いているような構造にし、ア−ムの反対側は上下おのおのＵ型金具を縦に付け、動物の歯のようにお互いに向き合つており、上下のア−ムを指で押すと上下の刃が設触して、果実や野菜等を噛み切れる構造を有し、この刃を利用  して、俎や庖丁が無くても、果実や野菜の乱切りを可能にし、叉上下のＵ型刃の外側にも刃を付けて、果実や野菜等の、腐食ヶ所や不良部をこそぎとれる構造を有する果実調理器。
【発明の詳細な説明】
【技実分野】
【０００１】本発明はは果物の調理の１部を、簡単に、効率よく、出来るだけ食べられる部分を切除しないで、調理出来るように考案した、調理器である。
【背景技実】
【０００２】従来は果実の中身を調理するとき、その殆どを包丁でおこなつていて、手間がかかつたり、食べられる部分も同時にカツトしなければならなかつたり、色々な角度から、包丁を使用しなければならないので、怪我をしたりする、ケ−スが多かつた。叉調理時間も多く掛かり、老人や子供は調理が困難であつた。
【発明の概要】
【発明がが解決しようとする課題】
【０００３】果実（特にりんご  梨  柿等）を調理するときに芯部や、へた部の切除が能率よく、安全に切除するのに、経験が必要で多量に調理するときは多くの時間がかかつたり。叉包丁で調理すると、芯部の硬いカ所が残つたり、実を削りすぎたりして、芯部を綺麗に調理することは困難であつた。
本考案は、此の課題を解消するためになされた物である。
【課題を解決するための手段】
【０００４】４のＵ字型スプリングの両端をのばして、２・３の押さえ部を設け、その先端をＵ字型にして、５の中部刃・６の外側刃を設け、図２  に示すように指先で  ２上部ア−ム  ３下部ア−ムを押すと、５の中部刃に挟んである果実が半円形に切除される。果実のへた部も同一要領で、（図３に示す）切除することが出来る叉６外部刃では、果物の不良箇所や綿を部分削り取る事も出来る。叉５中部刃を利用して、にんじん、ゴボウ等がまな板がなくても乱切りにして、調理が可能である。
【発明の効果】
【０００５】分割された果実の、芯部・へた部の削除が簡単に出来、包丁で調理したときより、芯部やへた部の、切りすぎや、切り残しがなく綺麗に調理できる。また、子供、老人等の調理が不向きな人でも、安全で早く調理が可能となる。
その他、刃が半円形なので、綿部部や、不良可所の切除も比較的綺麗に早く出来る効果がある。】
【図面の簡単な説明】
【０００６】
【図１】  果実調理器の立体図である。
【図２】  ８  果実芯部を切断したときの立体図である。
【図３】  ９  果実へた部を切断したときの立体図である。
【図４】  ４つ割りした果実から、８果実芯部  ９果実へた部等不用カ所を切除した、実だけの立体図である。
【発明を実施するための形態】
【０００７】以下本発明の実施について、図面を参照しつつ、詳細に説明すれば、図１は本考案の実施例を表す果物調理器を表す一版的な全体図であり、２は上部ア−ム、３は下部ア−ムであり、４のＵ型スプリングと一体のもので、その反対側は、５中部刃  ６外部刃の付いたＵ型の金具と１体になつている。
叉２の上部ア−ム、３の下部ア−ムは４のＵ型スプリングによつて、適当な簡隔に片側が開口している。
［図２］は７の４つ割り果実の芯部８を、開口している  ２上部ア−ムと、３の下部ア−ムとの間に挟んで、指で矢印方向に押して、１タツチで  ２の上部ア−ムと３の下部ア−ムとの間に付いている５の中部刃で切断される。
［図３］図２と同様の要領で、７の四つ割果実の、９のへた部を切除している図である
［図４］は７の４つ割果実の芯部や、へた部を切除した、実部分だけの図である。
叉図には記載してないが、外部刃５を利用して果実の綿部や不良カ所を、簡単に綺麗にこそぎ取る事も出来る。叉この果実調理器は野菜類にも使用でき、不良ヶ所の切除や、俎や庖丁がなくても、野菜類の乱切りが出来る構造で形成されている。
【符号の説明】
【０００８】  １    果実調理器
２    上部ア−ム
３    下部ア−ム
４    Ｕ型スプリング
５    中部刃
６    外部刃
７    ４つ割り果実
８    果実芯部切除部
９    へたぶ切除部
【図１】
2012075841.tif 000003
【図２】
2012075841.tif 000004
【図３】
2012075841.tif 000005
【図４】
2012075841.tif 000006
(57)【要約】      （修正有）【課題】真性包茎の場合包皮の開口部の包皮輪が狭いために亀頭が露出しないので、従来の仮性包茎の矯正器具では包皮が亀頭を被ったままなので、真性包茎の改善が図り難いという課題を解決する矯正器具を提供する。【解決手段】合成樹脂で形成された胴体部１と内側スライド部２でクチバシ３の幅が自由に広がるようになっており、クチバシ３を真性包茎開口部に挿入して広げることで、包茎輪を除々に押し広げるようにする。また、胴体部１にネジを設け、包皮輪を押し広げたまま固定できるようにする。【選択図】図１
2012075843.tif 000002
【特許請求の範囲】
【請求項１】
合成樹脂で形成された胴体部と内側スライド部でクチバシの幅が自由に広がるようになっており、クチバシを真性包茎の包皮開口部に挿入して広げることで、包皮輪を徐々に押し広げることが出来る真性包茎矯正器具。
【請求項２】
外側胴体部にネジを設け、包皮輪を押し広げたまま固定出来る請求項１に記載の真性包茎矯正器具。
【請求項３】
内側スライド部に目盛を設けることで、どの位包皮輪が伸びたか確認出来る。
【発明の詳細な説明】
【技術分野】
【０００１】  本発明は真性包茎の包皮の開口部の包皮輪を広げる矯正をするための真性包茎矯正具に関するものである。
【背景技術】
【０００２】  従来より亀頭全体が包皮に被われて、勃起時にも亀頭が全く露出しない真性包茎は、整形外科手術によって包皮を切除する方法があるが、手術費が高額で負担が多く真性包茎の患者の中には縫合の仕上がりへの不安や、恥かしさのために手術を受けずに治さない人も多い。
【発明の概要】
【発明が解決しようとする課題】
【０００３】  真性包茎の場合包皮の開口部の包皮輪が狭いために亀頭が露出しないで従来の仮性包茎の矯正器具では包皮が亀頭を被ったままなので、真性包茎の改善が図り難い。【０００４】  そこで本発明は手術することなく、使用者が自身で真性包茎の包皮開口部の包皮輪を広げて固定することで、徐々に包皮輪を広がり真性包茎を改善出来る。
【課題を解決するための手段】
【０００５】  請求項１に記載の発明は、合成樹脂で形成された外側胴体部と内側スライド部で、クチバシの幅が自由に広がるようになっており、クチバシを真性包茎の包皮開口部に挿入して広げることで包皮輪を徐々に押し広げることが出来る真性包茎矯正器具。【０００６】  請求項２に記載の発明は、外周胴体部にネジを設け、包皮輪を押し広げたまま固定し出来る真性包茎矯正器具。【０００７】  請求項３に記載の発明は、内側スライド部に目盛を設けることで、どの位包皮輪が伸びたか確認出来る真性包茎矯正器具。
【発明の効果】
【０００８】  請求項１に記載の発明によれば、どのようなサイズの真性包茎包皮開口部にもクチバシを挿入して包皮輪を徐々に押し広げることが出来る。【０００９】  請求項２に記載の発明によれば、請求項１の発明の効果に加え、包皮輪を押し広げたままクチバシをネジで固定が出来るので、手でずっと力をかけなくてよいので楽である。【００１０】  請求項３に記載の発明によれば、請求項１又は２の発明の効果に加え、目盛を設けることで、どの位包皮輪が伸びたか都度確認が出来る。
【図面の簡単な説明】
【００１１】
【図１】本発明の第１実施形態を示す真性包茎矯正器具の正面図。
【図２】同じく、クチバシを広げた正面図。
【図３】同じく、断面図。
【発明を実施するための形態】
【実施例】
【００１２】  以下、本発明を具体化した第１実態形態を図面に基づいて説明する。【００１３】  図１に示すように合成樹脂で形成された外側胴体部１の中に内側スライド部２を設けた図である。
図２に示すように内側スライド部２をスライドさせることで、クチバシ３が広がり、ネジ４で固定し、目盛５で広がりの確認が出来る。
図３に示すように、本発明装置に側面図である。【００１４】１        外部胴体部
２        内部スライド部
３        クチバシ
４        ネジ
５        目盛
【図１】
2012075843.tif 000003
【図２】
2012075843.tif 000004
【図３】
2012075843.tif 000005
(57)【要約】【課題】  従来型のフックは、ポールなどに掛ける部分が開いているため、掛けてある物を取る時に、フックごと落下しやすい面があった。  本発明は、以上の問題点を解決するためになされたものである。【解決手段】  Ｓ字型のポールなどに掛ける部分を閉じた形にし、ポールの太さに合わせてカチリとはめ込むことができるようにする。  以上の構成よりなるＳ字フック。【選択図】図１
2012075847.tif 000002
【特許請求の範囲】
【請求項１】
ポールなどに掛ける部分を閉じた形にし、ポールの太さに合わせてカチリとはめ込むことができるようにしたＳ字型フック。
【請求項２】
板などに掛ける部分を閉じて板に面する形にし、板にぴったりはめ込むことができるようにしたＳ字型フック。
【発明の詳細な説明】
【技術分野】
【０００１】  本発明は、落ちない工夫をしたＳ字フックに関するものである。
【背景技術】
【０００２】  従来、Ｓ字フックは、手軽にポールなどに掛けて物をつり下げることができ、大変便利なものであるが、ポールなどに掛ける部分も開いているため、掛けてある物を取る時に、フックごと落下しやすい面があった。
【発明の概要】
【発明が解決しようとする課題】
【０００３】  従来型のフックは、ポールなどに掛ける部分が開いているため、掛けてある物を取る時に、フックごと落下しやすい面があった。特に主婦。台所で、お玉やフライ返しをＳ字型フックを使って掛けている人がたくさんいるが、忙しい中で、お玉を手にする時にフックごと外れて落ちてしまうことがしばしばあった。このフックを使えば、そうした時のイライラも軽減できる。
本発明は、以上の問題点を解決するためになされたものである。
【課題を解決するための手段】
【０００４】  Ｓ字型のポールなどに掛ける部分を閉じた形にし、ポールの太さに合わせてカチリとはめ込むことができるようにする。
以上の構成よりなるＳ字フック。
【発明の効果】
【０００５】  従来、Ｓ字型のポールなどに掛ける部分が開いていたため、物を取ろうとする時に落ちやすかったフックを、本発明により落ちにくくすることができる。使用する場所によって掛ける部分の足を長くするなど様々な形状を工夫すれば、棒状や板状でも落ちにくくすることができる。
【図面の簡単な説明】
【０００６】
【図１】本発明の斜視図である。
【図２】本発明の使用状態を示した斜視図である。
【発明を実施するための形態】
【０００７】以下、本発明の実施の形態を説明する。
（イ）Ｓ字型のポールのはめ口。（１）の部分を閉じた形にする。
（ロ）はめ込むものが板状の場合は板状のはめ口。（２）のように掛ける足を長くし、板にぴったりはめることができるようにする。
（ハ）ポールへのはめ口（１）、板へのはめ口（２）が形に応じて柔軟にはめ込むことができる素材で作成する。
本発明は、以上のような構造である。
Ｓ字フックの壁やポールに掛ける口の部分を、ヘアピンのように閉じることで、物を掛けたり取ったりした時にフックがポールから外れてフックごと物が落下するのを防ぐことができる。用途によっては、ポールをくわえる足の所を長くしたものもあると良い。
【符号の説明】
【０００８】  １  ポールへのはめ口      ２  板へのはめ口
【図１】
2012075847.tif 000003
【図２】
2012075847.tif 000004
(57)【要約】【課題】耳栓として、外耳道への収まりを素早く導き且つ、その落下も防ぎ、衛生上の配慮から、耳栓を囲むカバーを提供するものである。【解決の手段】低反発作用を備えた材質で作った耳栓の装着時に空気と接する表面から、その耳栓の尖塔部へ向け円錐状空洞を設け、耳栓外皮とし、更に、その空洞寸法幅に伸縮出来る様に作られた、形状記憶仕様の、割り棒数本から成る円錐骨状芯棒なるものを耳栓外皮中の円錐状空洞に沿って固定一体化としたものを提供する。尚、時として、衛生面から耳栓にもカバーを提供するものである。【選択図】図３
2012075850.tif 000002
【特許請求の範囲】
【請求項１】
耳栓装着時に空気と接する表面から、その尖塔へ向け円錐状空洞を設け、その空洞の中へ、円錐の骨状芯棒なる物を沿い合わせて固定し一体としたことを特徴とする装着補助具付き耳栓。
【請求項２】
耳栓本体の外側に耳栓カバーを取り付けた請求項１の装着補助具付き耳栓。
【発明の詳細な説明】
【技術分野】
【０００１】  本発明は人、又はペット等を介助入浴する際に、シャンプー等で、耳の中へ不意に入る水を防ぐ装着補助具付き耳栓である。
【背景技術】
【０００２】  従来の耳栓は本体が柔らか過ぎて、使用者の耳入口辺りを大雑把に塞いでたので、ポロッと耳から抜け落ちる事もあった。又、堅い耳栓では、要介護者へ介助装着してあげても、本人が、どの程度耳の中が痛いのかも知る事が出来ず、装着心地良いとも言えなかった。
【先行技術文献】
【０００３】
【特許文献１】特開２０１０−２９６９５号公報
【発明の概要】
【発明が解決しようとする課題】
【０００４】  入浴介助の際、要介護者へ装着してあげてたが、市販の柔らかい耳栓は、外耳道にうまく収まるのは難かしく、途中で抜け落ちる事もあった。又、堅い耳栓では、要介護者の耳中への痛みの程度を計る事も出来ず、装着心地の良い物とは言えなかった。又、ペットのシャンプー時にも耳栓を必要としていたが、市販の物は無かった。尚、衛生面に於て、耳栓にも、使い捨てカバーを設ける必要もあった。
【課題を解決するための手段】
【０００５】  請求項１に関する発明は、低反発作用を備えた材質で作った耳栓の、装着時に空気と接する表面から、その耳栓の尖塔部手前を目指して、円錐状空洞を設け、耳栓外皮とした。
その中へ、その空洞寸法幅に伸縮出来る様に作られた、形状記憶仕様の、割り棒数本から成る円錐骨状芯棒の尖塔部を耳栓外皮の尖塔部所へ沿い合わせて埋め込み固定した。
請求項２に於ては、耳栓本体を使用時に、状況に依って衛生上カバーを必要とされる事も有るので、耳栓カバーとして防水加工された薄い繊維素材で形成された壺型を被せたり、欠円型で包んだりする物を設けた。
【発明の効果】
【０００６】  本発明は、入浴介助を要する人や、ペットのシャンプー時に於て、短時間で優しく耳に装着出来、耳から抜け落ちる心配の煩わしさからも解消され且つ、使用の都度使い捨てとする耳栓カバーを付ける事で衛生的である。
【図面の簡単な説明】
【０００７】
【図１】円錐骨状芯棒の斜視図
【図２】耳栓外皮の斜視図
【図３】本発明の装着補助具付き耳栓本体の斜視図
【図４】使い捨て防水耳栓カバー壺型の斜視図
【図５】本発明の耳栓本体を図４で被せた斜視図
【図６】使い捨て防水耳栓カバー欠円型の平面図
【図７】本発明の耳栓本体を図５で包んだ斜視図
【発明を実施するための形態】
【０００８】  （イ）低反発作用を備えた材質で作った耳栓の、装着時に空気と接する表面（３）から、尖塔部（５）へ向けて、円錐状空洞（４）を設け、耳栓外皮（６）とした。そこへ円錐状空洞（４）の寸法幅に伸縮出来る様に作られた、形状記憶仕様の割り棒数本から成る円錐骨状芯棒（１）の芯棒尖塔部（２）を、耳栓外皮尖塔部（５）へ沿い合わせて埋め込み固定をし、一体としたものを本発明の装着補助具付き耳栓の本体（７）とした。
（ロ）使い捨て防水耳栓カバーについては、防水加工された薄い繊維素材で形成された壺型（８）だったり、平らな欠円型（９）だったりする。
本発明は以上のような構造である。
本発明を使用する時は、本体（７）を指で掴んで最小圧縮にして耳中の外耳道へ誘導するが、その時、耳栓外皮（６）の中に固定された円錐骨状芯棒（１）も同じく最小圧縮されてる状態に有る。そして、本体尖塔部（５）と芯棒尖塔部の固定によってグラつきも少なくなり、外耳道誘導も楽に収まる。収まって指を離すと、低反発作用備えた材質の耳栓外皮（６）と形状記憶仕様の円錐骨状芯棒（１）が外耳道との隙間を、ゆっくりと塞いでくれる。
尚、介護施設での入浴時とか、ペット・ショップでのシャンプー時の装着に於ては、衛生上、耳栓カバーも必要と思われるので、使い捨て防水耳栓カバー壺型（８）として、〔図５〕が示す様に、本発明の装着補助付き耳栓本体（７）に被せて使用し、同じく、使い捨て防水耳栓カバー欠円型（９）も、装着補助具付き耳栓本体（７）の尖塔部（５）を、そのカバー中心部（１０）に位置し〔図７〕の様に包んで使用する。
【符号の説明】
【０００９】１  円錐骨状芯棒、２  芯棒尖塔部、３  耳栓が空気と接する表面、４  円錐状空洞、５  耳栓外皮尖塔部、６  耳栓外皮、７  装着補助具付き耳栓本体、８  使い捨て防水耳栓カバー壺型、９  使い捨て防水耳栓カバー欠円型、１０  中心部
【図１】
2012075850.tif 000003
【図２】
2012075850.tif 000004
【図３】
2012075850.tif 000005
【図４】
2012075850.tif 000006
【図５】
2012075850.tif 000007
【図６】
2012075850.tif 000008
【図７】
2012075850.tif 000009
(57)【要約】【課題】ボトルケースは外出時、使用しなければ邪魔になる。遊園地に行った時、子供自身にフリーパスチケットや飲料ボトルなど持たせたいが、あれこれと肩からかけるものがあると持ち難い。【解決手段】外出時にバッグとして持ち歩け、必要な時にボトルケースとなるような形にした。クリアポケットをつけ、子どもが自分の切符などを管理し易くした。【選択図】図２
2012075837.tif 000002
【特許請求の範囲】
【請求項１】
布を袋状に縫い、袋口に開閉用のヒモを通し、ポケット本体となる別布にビニールを重ねたクリアポケットを作り、それを本体に縫い付ける時に、ポケット下に下ヘリ幅を作り、袋底をその下ヘリ幅に収納できるようにし、ポケット上も上ヘリ幅を作り、収納するときは袋の内側に袋上部や肩掛けヒモを仕舞い、上ヘリ幅に付けた面テープなどで口を閉じ、コンパクトに収納できることを特徴とするバッグ型ボトルケース。
【発明の詳細な説明】
【技術分野】
【０００１】  コンパクトに折りたためるバッグ型のボトルケースに関するものである。
【背景技術】
【０００２】  多様なデザインのボトルケースがあり、ボトルケースにポケットを付け、切符など入れるものもある（特許文献１参照）。しかし、ボトルケースは本体にボトルのみを収納させるものしかない。
【特許文献１】特許公開３０７４０６７号
【発明の開示】
【発明が解決しようとする課題】
【０００３】▲１▼  ボトルケースは外出時、使用しなければ邪魔になる。
▲２▼  遊園地に行った時、子供自身にフリーパスチケットや飲料ボトルなど持たせたいが、あれこれと肩からかけるものがあると持ち難い。
【課題を解決するための手段】
【０００４】  外出時にバッグとして持ち歩け、必要な時にボトルケースとなるような形にした。
クリアポケットをつけ、子どもが自分の切符などを管理し易くした。
以上を特徴とするバッグ型ボトルケースである。
【発明の効果】
【０００５】  普通のバッグとして利用でき、外出先で必要な時にボトルケースとして使うことができ、また表面のクリアポケットには切符などを入れられるので、子供自身、自分の持ち物の管理がし易い。
収納する時は肩掛けヒモなどを内側に仕舞い込んで、コンパクトな形になる。
【図面の簡単な説明】
【０００６】
【図１】本発明をボトルケースとしての使用可能な状態を示す斜視図
【図２】本発明の一部である袋上部と袋底を内側に折りたたんで収納し、バッグ型にした使用例を示す斜視図
【図３】本発明がコンパクトな形となった正面図
【発明を実施するための最良の形態】
【０００７】  以下、本発明の実施の形態を説明する。
布を袋状に縫い、袋口（１）に開閉用のヒモを通す。
ポケットとなる別布にビニールを重ね、クリアポケット（４）を作り、袋の中腹にとりつける。とりつけるとき、ポケット下ヘリを下ヘリ幅（５）ができるよう縫い付ける。
ポケット上ヘリも上ヘリ幅（３）ができるよう縫いつけ、そこに肩掛けヒモ（７）と口の開閉用に面テープ（８）を取り付ける。
本発明は、以上の構造よりなっている。
本発明をバッグとして使用するときは、袋底（６）を下ヘリ幅（５）に折り込み、袋上部（２）は袋の内側に折り込んで、上ヘリ幅（３）にある面テープ（８）で開閉できるバッグ型にする。
ボトルケースとして使用するときは、袋上部（２）を袋の内側から引き出し、袋底を下ヘリ幅（５）から引き出して使う。
収納するときには、コンパクトな形となるよう肩掛けヒモ（７）・袋上部（２）・袋底（６）を袋の内側とヘリ部分に仕舞う。
【符号の説明】
【０００８】  （１）袋口
（２）袋上部
（３）上ヘリ幅
（４）クリアポケット
（５）下ヘリ幅
（６）袋底
（７）肩掛けヒモ
（８）面テープ
【図１】
2012075837.tif 000003
【図２】
2012075837.tif 000004
【図３】
2012075837.tif 000005
(57)【要約】【課題】  弁当箱を使用するとき、皿型の食器を使用する為に、取手付きの皿を弁当箱内部に収める事が出来る皿内蔵弁当箱を提供する。【解決手段】  弁当箱本体（１）の内部に取り外し可能な取手付きの皿（２）を設け、蓋（４）により皿（２）の取手（３）を押さえる皿内蔵弁当箱を特徴とする。【選択図】図１
2012075833.tif 000002
【特許請求の範囲】
【請求項１】
弁当箱本体（１）の内部に取り外し可能な取手付きの皿（２）を設け、蓋（４）により皿（２）の取手（３）を押さえる機能を設けた皿内蔵弁当箱。
【発明の詳細な説明】
【技術分野】
【０００１】  本発明は、皿形の器を内蔵する二段式弁当箱に関するものである。
【背景技術】
【０００２】  従来、弁当箱には箱単体の物や、同形または多少形状の違う弁当箱が複数重なる種類の物があった。
【先行技術文献】
【特許文献】
【発明の概要】
【発明が解決しようとする課題】
【０００３】  これは、次のような欠点があった。従来の弁当箱は、食品を入れる容器の形状が箱や円筒形に限られており、日常で食事を楽しむ際に重要な要素となる食器の形状を制限するものであると同時に、箱形の形状から弁当箱を洗う際に隅まで洗うのが難しいという欠点があった。本発明は以上のような欠点を無くす為になされたものである。
【課題を解決するための手段】
【０００４】  弁当箱本体（１）の内部に取り外し可能な取手付きの皿（２）を設け、蓋（４）により皿（２）の取手（３）を押さえる。本発明は、以上の構成よりなる皿内蔵弁当箱である。
【発明の効果】
【０００５】  馴染みのある皿の形状が、外出先での箱での食事という日常との違和感を軽減する役目を果たすと共に、皿は内蔵式になっているので、食品の移し替えの必要なく食事の際にそのまま皿を取り出して食事を開始する事が可能である。
また、本体はお椀型、皿の部分は皿状の食器なので容易に隅まで洗う事ができる。
【図面の簡単な説明】
【０００６】
【図１】本発明の斜視図である。
【図２】本発明の断面図である。
【発明を実施するための形態】
【０００７】  以下、本発明を実施するための形態について説明する。
弁当箱本体（１）の内部に取り外し可能な取手付きの皿（２）を設ける。この取手（３）は本体上辺の高さに揃うように設計されており、取手（３）を蓋（４）により押さえる事で皿（２）を固定する。本発明は、以上のような構造である。これを使用するときは、蓋（４）を外し、取手（３）を持ち、皿（２）を外して使用する。
【符号の説明】
【０００８】  １    弁当箱本体
２    取手付き皿
３    取手
４    蓋
【図１】
2012075833.tif 000003
【図２】
2012075833.tif 000004
(57)【要約】【課題】うちわで扇ぎ風を発生させても外気温が高ければ熱風を発生させてしまい涼しいとは言い難い。本発明は、まず液体容器内の水等を素肌に吹き付けてから、または、吹き付けながら扇ぎ気化熱を利用する事で従来のうちわより清涼感を増すことを目的とする。【解決手段】うちわ（風を発生させる送風板）本体の下部に液体を入れる容器と連結させる為の構造をしたフレーム部分を設けてあることが特徴で、その下に持ち手兼液体を入れる容器を有する気化熱利用式うちわ。【選択図】図３
2012075831.tif 000002
【特許請求の範囲】
【請求項１】
うちわ（風を発生させる送風板）本体の下部に液体を入れる容器と連結させる為の構造をしたフレーム部分を設けてあることが特徴で、その下に持ち手兼液体を入れる容器を有する気化熱利用式うちわ。
【発明の詳細な説明】
【技術分野】
【０００１】本発明は、うちわ本体の下部に液体を入れる容器を有し、容器内の水等を素肌に吹き付けてから、または吹き付けながら扇ぐ気化熱利用式うちわに関するものである。
【背景技術】
【０００２】従来うちわを使用する時は扇いで送風することだけで清涼感を得ていた。
【先行技術文献】
【０００３】
【特許文献１】実用新案願２００４−６０１４号公報
【特許文献２】実用新案願２００７−３１８０号公報
【特許文献３】実用新案願平４−４１６９２号公報
【特許文献４】実用新案願平１０−６９４０号公報
【発明の概要】
【発明が解決しようとする課題】
【０００４】一般的なうちわだと扇ぐことしか出来ないため外気温の影響が大きく、外気温が高ければ熱風を発生し涼しさを感じることは不可能である。
本発明は、以上の問題点を解決するためになされたものである。
【課題を解決するための手段】
【０００５】うちわ本体の下部に液体を入れる容器と連結させる為の構造をした部分を設け、その下に持ち手兼液体を入れる容器を有する。
以上の構成よりなるうちわ。
【発明の効果】
【０００６】本発明はスプレーにより霧状の水が噴霧され、かつうちわで送風することにより霧状の水が蒸発し気化熱が作用する。このために、従来外気温が高ければ得ることが出来なかった清涼感を本発明によりある程度得ることが出来るようになる。
また、液体容器の中は「水」「アロマオイル」「メントール系液体」など好みに応じた液体を入れて楽しむことができる。
【図面の簡単な説明】
【０００７】
【図１】本発明の正面図
【図２】本発明の背面図
【図３】うちわ本体と液体容器を連結するフレーム部分拡大図
【図４】上記フレーム側面図
【図５】上記フレーム斜視図
【図６】上記フレーム下部図
【発明を実施するための形態】
【０００８】以下、本発明の実施の形態を説明する。
（イ）うちわ本体（１）の下部にうちわ本体挟み込み部（７）をもつ連結フレーム（２）を設けており、この連結フレームの下部に押圧部（４）と吐出口からなる液体を噴霧する為の装置がありその下にねじ込み式液体容器（３）を有する。
本発明は以上のような構造である。
本発明を使用するときは、まず、ねじ込み式の液体容器（３）を連結フレーム（２）より取り外し「水」など人体に害を及ぼさない液体を入れる。液体の入った液体容器（３）をうちわ本体（１）と本体と液体容器を連結する連結フレーム（２）下部のねじ山に従って確実にねじ込んで装着する。連結フレーム（２）の下部には押圧部（４）と吐出口（５）より構成される噴霧部分が一体成形されており、内側である窓部（６）内は親指が入る位の隙間が設けてあり、体の好みの部分に向けて押圧部（４）を押すことで霧状になった液体が吐出口（５）から噴霧され、窓部（６）より液体が出る仕掛けになっている。液体を素肌にかけた後は通常通りに扇ぐ。また、押圧部（４）を押しながら扇ぐことで霧状の液体が風に導かれ涼しい風を発生させることも出来る。
【符号の説明】
【０００９】１  うちわ本体  ２  連結フレーム  ３  液体容器
４  押圧部  ５  吐出口  ６  窓部  ７  うちわ本体挟み込み部
【図１】
2012075831.tif 000003
【図２】
2012075831.tif 000004
【図３】
2012075831.tif 000005
【図４】
2012075831.tif 000006
【図５】
2012075831.tif 000007
【図６】
2012075831.tif 000008
(57)【要約】【課題】開口部の小さいペットボトルや水筒などの内側は洗いにくいものである。ブラシタイプは取り出す際に泡が飛び散ってしまうし、ブラシタイプと網状のネットにボールなどを入れたタイプは細部まで洗浄することは出来ない。  本発明は、開口部の小さいペットボトルや水筒などの内側を洗うためのボトル洗浄器を提供する。【解決手段】柄の先端に細部洗浄部を設け、細部洗浄部の後部に放射状もしくは花びら状等のスポンジを設ける。【選択図】図１
2012075839.tif 000002
【特許請求の範囲】
【請求項１】
柄の先端に細部洗浄部を設け、細部洗浄部の後部に放射状もしくは花びら状等のスポンジを設けたことを特徴とするボトル洗浄器。
【発明の詳細な説明】
【技術分野】
【０００１】  本発明は、開口部の小さいペットボトルや水筒などの内部の洗浄に関するものである。
【背景技術】
【０００２】  従来、家庭で開口部の小さいペットボトルや水筒などの内側を洗うには、柄の先に網やブラシをつけたものや、スポンジやネット状たわしにボールを埋めこんであったり、数個のたわしを紐で連結し洗浄液飛散防止用キャップにつないだもの（特許文献１参照）や、らせん状のブラシ芯材部に洗浄材をとり付けたもの（特許文献２参照）、あるいはメッシュ状の袋に固形体を入れたものを容器内部で回転させて洗浄するもの（特許文献３参照）などが知られている。
【先行技術文献】
【０００３】
【特許文献１】特開２０１０−１２４４９号公報
【特許文献２】特開２００９−２３３２９９号公報
【特許文献３】特開２００４−２７６００８号公報
【発明の概要】
【発明が解決しようとする課題】
【０００４】  開口部の小さいペットボトルや水筒などの内側は洗いにくいものである。ブラシタイプは取り出す際に泡が飛び散ってしまうし、ブラシタイプと網状のネットにボールなどを入れたタイプは細部まで洗浄することは出来ない。
本発明は、以上の問題点を解決する為になされたものである。
【課題を解決するための手段】
【０００５】  柄の先端に細部洗浄部を設け、細部洗浄部の後部に放射状もしくは花びら状等のスポンジ洗浄材を設ける。
以上の構成よりなるボトル洗浄器である。
【発明の効果】
【０００６】  放射状もしくは花びら状等のスポンジが開口部の小さいペットボトルや水筒の入口では細く縮まってスムーズに入り、中に入ると元の形に広がり、内側に密着させて汚れを落とすことでき、細部洗浄部で凹凸部の洗浄が可能となる。
また、スポンジを出す際ボトルの開口部でスポンジを絞るので泡が飛散しない。
【図面の簡単な説明】
【０００７】
【図１】本発明の斜視図
【図２】本発明の使用状態の一例を示す図
【図３】本発明の別の使用状態の一例を示す図
【図４】本発明の別の使用状態の一例を示す図
【発明を実施する為の形態】
【０００８】  以下、本発明の形態を説明する。
（イ）棒状の柄（１）の先端に細部洗浄部（２）を設ける。
（ロ）細部洗浄部（２）の後部に放射状もしくは花びら状等のスポンジ（３）を設ける。
本発明は以上のような構造である。
本発明を利用するときは、細部洗浄部（１）とスポンジ（３）に洗剤をつけ、柄（１）を回しながらボトル（４）に入れる。スポンジ（３）がボトル（４）内部で広がるので、ボトル（４）の内側に密着させて肩部分や底の角を洗うことができる。細部洗浄部（２）で底の凹凸部分を洗う。洗浄後、細部洗浄部（２）とスポンジ（３）を引き出す。
細部洗浄部（２）とスポンジ（３）を引き出すとき、ボトル（４）の開口部でスポンジ（３）を絞るので泡は外側に飛び散ることはない。
【符号の説明】
【０００９】１  柄、２  細部洗浄部、３  スポンジ、４  ボトル
【図１】
2012075839.tif 000003
【図２】
2012075839.tif 000004
【図３】
2012075839.tif 000005
【図４】
2012075839.tif 000006
(57)【要約】      （修正有）【課題】踏み台運道用具を使用して昇降運動を継続することにより自然な形で生涯自分の健康を保持出来るようにする。【解決手段】踏み台を利用した昇降運動を安全に継続できるようにするため、踏み台に着脱可能にＴ字の取っ手を設けた。【選択図】図２
2012075840.tif 000002
【特許請求の範囲】
【請求項１】
踏み台・に身体バランスの安全確保を目的として  木材、金属、外材料類で申請と同型のＴ字型の取っ手を装着する事。
【請求項２】
運動用具、日常の生活用具、として販売する事
【発明の詳細な説明】
【技術分野】
【０００１】本発明は  低い踏み台昇降運動を繰り返し  身体の足腰の筋肉を鍛え日常生活の健康を保持するために考案された  健康維持道具である。
【背景技術】
【０００２】踏み台昇降はかなりのエネルギーを要する運動であるうえに  安定を要求される。その不安定さを解消するために  取っ手をつけ昇降しやすいようにした。個人の能力差に対応し、無理せず  自分のできる範囲で継続実施することが肝要である。
【発明の開示】
【発明が解決しようとする課題】
【０００３】現代の生活環境は  急激な機能的便利さを追及している。その変化に対して人間の身体機能は運動不足により  次第に低下の傾向を示している。各人が体力にあわせて、自主的に自分の足腰の筋肉を鍛え  体力を保持し、日常生活に支障がない体力を保持するようにする。
【課題を解決するための手段】
【０００４】支柱の取っ手はあくまで運動する人の安定を保つためのものである。踏み台にしっかりと固定し  運動する人が手を添えやすい位置に設定安全を確保する。手軽に使用できる場所に置き、自分の体力や体調にあわせて運動し、童謡などにあわせて実施して日常の生活習慣として長続きするようにする。
【発明の効果】
【０００５】毎日［１日  朝、夕、３分〜５分程度の昇降運動  ３０〜１２０回］の実施で  かなり体が軽く感じるようになり、駅の階段など気にならなくなり、下半身の筋肉が太く  丈夫になり  転倒などの予防にも役立つ。特に、中高年者の脚力増強  体のバランスが保持などに効果がでる。
【実施例】
【０００６】１段脚立に  取っ手を付けて  発明者自身が実行している。下にマットを敷き健康踏み台が絶対に滑らないよう  周囲の安全に気をつけて１０月程  継続して実施したところ  脚力がつき歩行が楽になった。知人や近隣の人々に配付して  試行してもらったが、天候や外見に左右されず運動可能で「体力がついた」との報告があった。
【図面の簡単な説明】
【０００７】
【図１】発明の支柱図
【図２】運動具の全体図
【符号の説明】
【０００８】１−  支柱
２−  支柱握り部
【図１】
2012075840.tif 000003
【図２】
2012075840.tif 000004
【図３】
2012075840.tif 000005
【手続補正書】
【提出日】平成22年12月13日(2010.12.13)
【手続補正１】
【補正対象書類名】図面
【補正対象項目名】全図
【補正方法】変更
【補正の内容】
【図１】
2012075840.tif 000006
【図２】
2012075840.tif 000007
(57)【要約】【課題】  本発明は、ボウル型に成型された吊り下げ状の持ち手付の大ザルの中に、２つのフックと持ち手ひとつをつけた、大ザルを４等分した大きさの個別の小ザル４つを収容した大ザル付き独立４分割型水切り茹でザルを提供する。【解決手段】  ボウル型に成型した大ザル（１）に吊り下げ状の持ち手（２）を設け、大ザル（１）の中に小ザル（３）を４つに分割し、それを組み合わせ、小ザル（３）の外周にあたる部分の両端２カ所にフック（４）を設け、そのフック（４）とフック（４）の間の中間部分に持ち手（５）を設けたを特徴とする大ザル付き独立４分割型水切り茹でザル。【選択図】図１
2012075836.tif 000002
【特許請求の範囲】
【請求項１】
ボウル型に成型した大ザル（１）に吊り下げ状の持ち手（２）を設け、大ザル（１）の中に小ザル（３）を４つに分割し、それを組み合わせ、小ザル（３）の外周にあたる部分の両端２カ所にフック（４）を設け、そのフック（４）とフック（４）の間の中間部分に持ち手（５）を設けたを特徴とする大ザル付き独立４分割型水切り茹でザル。
【発明の詳細な説明】
【技術分野】
【０００１】  本発明は、ボウル型に成型された吊り下げ状の持ち手付の大ザルの中に、２つのフックと持ち手ひとつをつけた、大ザルを４等分した大きさの個別の小ザル４つを収容した大ザル付き独立４分割型水切り茹でザルに関するものである。
【背景技術】
【０００２】  従来、水きりザルは大中小さまざまあった。
麺などを湯きりするザルは、深鍋が必要であった。
たとえば、水切り時において、器を大きく振ったり（ふるったり）、傾けた場合にあっても、中身が外に飛び出すことはない調理用ザルを提供されていた。（特許文献１）
水切りや、油切りのできるザルを４個設け、そのうちの２個を組合わせて鍋の中に入れて使用し、時間、燃料、水の節約ができるものを提供されていた。（特許文献２）
【先行技術文献】
【０００３】
【特許文献１】  特開２００８−１１０１８２号公報
【特許文献２】  特開平９−２０６２１７号公報
【発明の概要】
【発明が解決しようとする課題】
【０００４】  それには次のような問題点があった。
（イ）切った野菜を種類別にザルに入れておくためには、調理場に広いスペースが必要で    あった。
（ロ）炒め物の場合は食材ごとに炒め時間が違うが、切った野菜をまとめて一つのザルに    入れておくと食材が混ざり、上手に調理出来なかった。
（ハ）野菜は種類によって茹で時間が違うので、まとめて茹でることはできない。
別々に茹でなければならず、手間も時間もかかった。
（二）麺を湯きりするザルは、浅鍋が使えず、不便であった。
（ホ）ザルを数多く用意すれば収納の場所もそれだけ必要であった。
【課題を解決するための手段】
【０００５】  ボウル型に成型した大ザル（１）に吊り下げ状の持ち手（２）を設ける。
大ザル（１）の中に小ザル（３）を４つに分割し、それを組み合わせ、小ザル（３）の外周にあたる部分の両端２カ所にフック（４）を設ける。
そのフック（４）とフック（４）の間の中間部分に持ち手（５）を設ける。
以上を特徴とする大ザル付き独立４分割型水切り茹でザルである。
【発明の効果】
【０００６】（イ）食材を種類別に準備できて、なおかつ場所をとらず散らからない。
（ロ）食材を種類別に小ザルに入れておくことで、炒め物など食材投入の順番が確保でき    る。
（ハ）食材を種類別に小ザルに入れることで、一挙に大ザルごと鍋に投入し茹で上がり順    に小ザルを取り出すことができる。
（二）従来の湯きりザルより浅型なので、浅い鍋も使用できる。
（ホ）小ザルは４つ重ねて収納できるので、場所をとらない。
【図面の簡単な説明】
【０００７】
【図１】本発明の斜視図
【図２】本発明の平面図
【図３】本発明の小ザルの斜視図
【図４】本発明の大ザルの斜視図
【図５】本発明の小ザルのフックの断面図
【図６】本発明の小ザルの持ち手の断面図
【発明を実施するための形態】
【０００８】以下、本発明の実施の形態について説明する。
（イ）大ザル（１）はボウル型であり、吊り下げ状の持ち手（２）２つをつけて持ちやす    くする。
また、小ザル（３）に対し水通しをよくするため、メッシュのザルではなく小さな    ハート型を組み合わせた外型とする。
（ロ）大ザルの開口部を真上から見て時計の１２時と６時、３時と９時をそれぞれ結ぶ線    で４等分した大きさの小ザル（３）を、メッシュで作成する。したがって小ザル（３    ）の中心角は９０度（６）、外周は大ザル（１）の外周の４分の１、小ザル（３）の    ２辺は大ザル（１）の半径となり、ボウル型の大ザル（１）が４分割された形態とな    る。
（ハ）それぞれの小ザル（３）の外周部の両端にフック（４）をつけ、大ザル（１）に固    定されるようにする。
さらに、２つのフック（４）の中間部に持ち手（５）をつけ、小ザル（３）自体を    取り出しやすくする。
（ニ）大ザル（１）の吊り下げ状の持ち手（２）は、倒した際に小ザルの持ち手（５）の    上に収まり、熱湯の熱が伝わらないよう工夫される。
【符号の説明】
【０００９】    １  大ザル
２  大ザル持ち手
３  小ザル
４  フック
５  小ザル持ち手
６  中心角
【図１】
2012075836.tif 000003
【図２】
2012075836.tif 000004
【図３】
2012075836.tif 000005
【図４】
2012075836.tif 000006
【図５】
2012075836.tif 000007
【図６】
2012075836.tif 000008
(57)【要約】【課題】今日一般的に使用されている携帯電話機充電器は、充電不要時空洞の電話機挿入口から塵等が混入して充電不良を起こしたり、塵除去の折充電器と電話機の接点にある通電コイルを破損したりすることがあるが、これら従来の欠点を除去し正確に充電機能を提供する。【解決手段】携帯電話機の挿入口に開閉自在の蓋を付けることにより、塵等の混入を防ぎ充電器の故障を防ぐものである。【選択図】図１
2012075301.tif 000002
【特許請求の範囲】
【請求項１】
携帯電話機の充電器本体の電話機挿入口に、バネ付蝶番を介して開閉自在の蓋を付けた携帯電話機の充電器。
【発明の詳細な説明】
【技術分野】
【０００１】  本発明は今日一般的に使用されている携帯電話機の充電器の内部に塵等が入らないようにして改良し、良質の充電器とすることに関するものである。
【背景技術】
【０００２】  今日一般的に使用されている携帯電話機充電器は、度々接触不良を起こし充電不能になることがある。
【発明の概要】
【発明が解決しょうとする課題】
【０００３】  今日一般的に使用されている携帯電話機の充電器は、充電作動中以外は電話機差込部位が開放状態のため、時間の経過とともに塵などの不純物が混入し、充電器の機能が損なわれる場合があり、又塵等除去中に通電コイルを誤って破損することもある。
本発明は以上の問題点を解決するためになされたものである。
【課題を解決しょうとするための手段】
【０００４】  充電不要時は携帯電話機の差込口に蓋をすることで塵等の混入を防ぐ。
【発明の効果】
【０００５】  携帯電話機の充電器に塵等の混入を防ぐことにより、充電器の接触不良をなくし器具を長く使用できる。
【図面の簡単な説明】
【０００６】
【図１】本発明の斜視図。
【発明を実施するための形態】
【０００７】  （イ）、上面を開口した箱状の本体（２）の上部に携帯電話機の後部を差し込む形状に合わせた差込口（４）を設ける。
（ロ）、本体（２）の開口縁の一辺に、バネ付蝶番（３）を介して蓋（１）を開閉自在に設ける。
（ハ）、蓋（１）は差込口（４）の全体を覆う形状と広さを有する。
本発明は以上の構成よりなる。
本発明を使用するときは、本体（１）の差込口（４）に携帯電話の後部である充電器との接触部が挿入され、充電が行われる。充電器を使用しない時は、携帯電話が本体（１）を覆うように閉じられる。この結果、差込口（４）に、塵や埃が進入することを防ぐ。
【符号の説明】
【０００８】１蓋
２本体
３バネ付蝶番
４差込口
【図１】
2012075301.tif 000003
(57)【要約】      （修正有）【課題】携帯電話のメールを利用し、不特定の対象と不特定の利用者を有る一定時間特定し管理する為のシステムを提供する。【解決手段】システムは管理対象のロックを暗証番号で管理し、利用対象に固有の番号を２次元バーコード等で表記する。利用者は携帯電話で対象に添付された２次元バーコードを読み込みメールで送信する。管理システムは送られた対象者の番号と携帯のアドレスが一致した事を確認後、利用対象の固有番号をデータベースから参照し、利用対象にあたえられたロックの解除番号を送信者のメールアドレスに返信する。【選択図】図１
2012084107.tif 000002
【特許請求の範囲】
【請求項１】
インターネットにアクセスせずメールのみの送信と受信で作業を完結する方法。
【請求項２】
管理する対象に固有の番号をバーコード等で添付して置き、読み出した固定番号とその時間を送信する事によりメールアドレス等を確認し（利用者）（場所）（時間）を統合的に特定する方法。
【請求項３】
管理する対象に固有の番号等を添付して置き、使用者に配布された固有の番号と登録されたメールのアドレスを照合し合否を確認する方法。
【請求項４】
送られたメールのアドレス及び固有の番号を確認し一定の情報を付加して送り返す事により要求された行為に許可を与える方法。
【発明の詳細な説明】
【発明の詳細な説明】
【産業上の利用分野】
【０００１】この考案はある機器を不特定多数の者が利用する際に確実速やかに且つ廉価に特定された利用者に許可を与える為の物である。
又、（場所）（時間）（使用者）を装置等を新たに設置することなく出退の管理を効率的に行なう為の物である。
【従来の技術・製品】
【０００２】現在、貸しロッカー、或いはカーシェアリング等、不特定多数の登録会員を特定された個人のみが使用する為の方法としては人が介する方法が主である。もしくは通信システムを利用していても会員に配布したキーもしくはカード等で認識する物が殆どである。
或いは通信機器を利用した方法も存在しているがすべてインターネットを通じホームページ等にアクセスして行なう方法である。
【考案が解決しようとする課題】
【０００３】多数の対象を多くの場所で管理する為には場所と人員を用意するか、通信手段を利用するかで有るが、直接管理するには場所や人件費が掛かる。
又固定の通信を利用するには設備と場所が必要であった、したがって多くの経費と場所の確保が必要であり多くのポイントを用意すると多くのコストが掛かり維持も大変であった。
又携帯電話等の通信機器を用いた装置も有るがインターネットにアクセスして行なう方法を取られている為に子供や高齢者には非常に分かりにくい方法であり通信費も掛かる方法であった。
【問題を解決する為の手段及び構造】
【０００４】このシステムは管理対象のロックは暗証番号で管理し、利用対象に固有の番号を２次元バーコード等で表記しておき、携帯電話等のメール装置で管理システムに管理対象の固有番号と利用者に予め与えられている番号を登録された携帯のメールアドレスから送信する。管理システムは送られた対象者の番号と携帯のアドレスが一致した事を確認後、利用対象の固有番号をデータベースから参照し、利用対象にあたえられたロックの解除番号を送信者のメールアドレスに返信する
使用終了時には利用者は個体番号とＩＤを添付して使用終了のメールを送付する事によりサーバーから当該対象を利用可能状態に戻す
【効果】
【０００５】このシステムを使用する事で利用者は人や通信を介する事無く利用対象を利用する事が可能になる。又管理する側は管理対象に２次元バーコードを添付するだけで管理が可能であり、使用状況の把握が容易に出来る事によりコストを大きく下げる事が可能である
【実施例と効果】
【０００６】自転車のシェアリングの場合、街の多数の場所に置かれた自転車を登録された会員が自由に利用出来、乗り捨てが可能であると言うシステムが有るが指定された場所に乗捨てないで不法に放置するケースが有った、しかしこのシステムだと最終的に使用した会員がシステムに登録されているので後日追跡が可能となり、この事を告知する事により抑制効果が期待できる。
又、利用の終了を返却場所も含めて管理する事で多数の管理対象が常にどの位置に置かれているかが常に管理できる為、管理対象の不均等も即時把握できる。又利用途中で他の利用者が利用する事等が無い様に管理できると共に長時間の利用による問題を回避出来る方法である。
出退管理の場合は工事現場の様な場所でも入場ゲート等に次元バーコードを添付し、作業者は携帯等で読み込み即時送信する事によりサーバ側に自動で出勤簿が作成され、確認のメールを児童返送する事により作業者側も管理可能であり退出時にも同様に操作する事により勤務時間が寄り確実に管理可能な方法である。
【図面の簡単な説明】
【図１】  本装置貸し自転車のシステムフローチャートである。
【図２】  本装置タイムレコーダーのシステムフローチャートである。
【図１】
2012084107.tif 000003
【図２】
2012084107.tif 000004
(57)【要約】      （修正有）【課題】夕方および夜間、トンネル内において、車両が無灯火で走行するときに、車両の搭乗者ならび運転者と周辺の車両に無灯火であることを察知させながら警戒するよう警報して、無灯火である状態から灯火するよう促し、運転事故を未然に防止する。【解決手段】車両に感光センサーを搭載させ、暗さに応じて、無灯火で走行した場合に、搭乗者や運転者に警報音を発したり、周辺の車両に向けて無灯火車両がハザードランプを点滅して、無灯火であることを察知させ、警戒するよう警報する。【選択図】図１
2012084157.tif 000002
【特許請求の範囲】
【請求項１】
車外の暗さにより、搭乗者および周辺車両と歩行者にむけて、無灯火であることを警報する車載装置。
【発明の詳細な説明】
【技術分野】
【０００１】
本発明は、車両の車載装置に関する。
【発明の概要】
【発明が解決しようとする課題】
【０００２】
夕方および夜間、トンネル内において、車両を無灯火で走行するような運転者がいる。無灯火で走行する車両は、運転事故をまねくことがある、危険だ。
【発明の効果】
【０００３】
車両の搭乗者ならび運転者と周辺の車両に無灯火であることを察知させながら警戒するよう警報して、無灯火である状態から灯火するよう促し、運転事故を未然に防止することにある。
【図面の簡単な説明】
【０００４】
【図１】本発明のブロック図である。
【先行技術文献】
【特許文献】
【０００５】
特許公開２００２−０７４５８３  無灯火車両検出装置
【実施例】
【０００６】
ハザード（車両の方向指示器を全灯、同時に点滅を行うことの名称）を行うきっかけを感光センサーで行う。感光センサーは焼結形ＣｄＳ光導電セルを用いることで安価にできる。感光センサーを車両のフロントガラス等に装着して、車外の明暗（光のぐあい）を検出させるときに、感光センサーは電気抵抗が増減するから、電気的に電圧をかけて、トランジスター回路等でその電圧を検出して、電気信号を増幅しておき、車両が走行中であることと、灯火スイッチ（車両のライト）のＯＮ・ＯＦＦの状況を同時に検出して、明暗の状況および走行中であることと灯火スイッチのＯＮ・ＯＦＦの状況を電気信号において論理積あるいは、加算させて、その結果をトランジスター回路等で車載のハザードスイッチと連動するよう無接点あるいは有接点にＯＮ・ＯＦＦをする。このことで、夕方や夜間、トンネル内にて、車両の灯火が必要であるときに、ハザードを点滅させて、車両周辺および搭乗者、運転者に無灯火であることを知らしめることが可能である。灯火スイッチの状況と、走行中であることおよび、感光センサーの明暗の検出状況の３つの要素が折り重なってハザードを点滅させるしくみだが、ハザードを点滅させなくとも、直接、灯火（ライト等）するよう回路を接続してもよい。すくなくともハザードの点滅だけでなく、音声を再生するような電子回路を介して警報するのもよい。
【符号の説明】
【０００７】
なし
【図１】
2012084157.tif 000003